(57)【要約】【課題】本発明は、熱線センサーによって物体を感知してメーン電灯を駆動する制御部に信号を送るセンサースイッチに関するもので、より詳細には、周辺が一定の照度以下になると点灯されるように微灯が設置され、最小限の電力消耗でかすかに照明されることで、物体の動き程度を感知可能になり、真っ暗さから来る不便さと不安さを解消することができる熱線センサーを用いたセンサースイッチに関するものである。【解決手段】本発明による熱線センサーを用いたセンサースイッチは、動く物体の熱線感知のための感知センサー２２０の感知信号を受ける制御部２３０からスイッチング動作する外部装置２５０にスイッチング信号を出力するセンサースイッチにおいて、前記感知センサー２２０が装着されるハウジング２１０に前記制御部２３０と連結されて装着される微灯２６０を含んで構成されることを特徴とする。【選択図】図１
2009224312.tif 000002
【特許請求の範囲】
【請求項１】
動く物体の熱線感知のための感知センサーの感知信号を受ける制御部からスイッチング動作する外部装置にスイッチング信号を出力するセンサースイッチにおいて、
前記感知センサーが装着されるハウジング（２１０）に前記制御部（２３０）と連結されて装着される微灯（２６０）を含んで構成されることを特徴とする熱線センサーを用いたセンサースイッチ。
【請求項２】
前記微灯（２６０）は、前記ハウジング（２１０）に設置された照度センサー（２７０）を通して感知された照度が予め設定された照度以下であると点灯されることを特徴とする請求項１に記載の熱線センサーを用いたセンサースイッチ。
【請求項３】
前記微灯（２６０）は、前記制御部（２３０）によって制御され、少なくとも１個の高輝度発光ダイオードで構成されることを特徴とする請求項１または２に記載の熱線センサーを用いたセンサースイッチ。
【請求項４】
前記外部装置は、前記ハウジングに設置されて点灯または消灯されるメーン電灯（２５５）であることを特徴とする請求項１または２に記載の熱線センサーを用いたセンサースイッチ。
【請求項５】
前記微灯（２６０）は、前記制御部（２３０）によって制御され、少なくとも１個の高輝度発光ダイオードで構成されることを特徴とする請求項４に記載の熱線センサーを用いたセンサースイッチ。
【請求項６】
前記微灯（２６０）は、前記制御部（２３０）によって作動する微灯駆動部（２８０）によって点灯されることを特徴とする請求項４に記載の熱線センサーを用いたセンサースイッチ。
【請求項７】
前記感知センサーは、熱線センサーであり、
前記制御部（２３０）に連結され、前記メーン電灯（２５５）の点灯時間を選択する駆動時間設定部（２９０）と、前記微灯（２６０）の点灯を制御する照度調節スイッチ（２９５）とをさらに備えることを特徴とする請求項４に記載の熱線センサーを用いたセンサースイッチ。
【発明の詳細な説明】
【技術分野】
【０００１】
本発明は、熱線センサーによって物体を感知してメーン電灯を駆動する制御部に信号を送るセンサースイッチに関するもので、より詳細には、周辺が一定の照度以下になると点灯されるように微灯が設置され、最小限の電力消耗でかすかに照明されることで、物体の動き程度を感知可能になり、真っ暗さから来る不便さと不安さを解消することができる熱線センサーを用いたセンサースイッチに関するものである。
【背景技術】
【０００２】
通常、アパート内部の玄関に設置された電灯のように、一時的な点灯動作が要求される電灯にはスイッチが設置されており、必要時にスイッチをオンにすると点灯され、スイッチをオフにすると消灯される構成となっている。このようにスイッチによって点灯または消灯される電灯は、操作者の直接的なスイッチ操作によって点灯されるので、手に多くの物を持っているときには電灯の点灯が難しくなり、水の付いた手でスイッチを操作するときには感電の危険があった。
【０００３】
また、アパートの階段や廊下などのように、点灯スイッチの位置を知らない外来客が頻繁に通る場所には、人の有無と関係なしに、夜間には常に照明灯を点灯させていたが、このように不必要なときにも電灯を点灯させることで、過度なエネルギー浪費を招いた。
【０００４】
上記のような問題点を解決するためにセンサースイッチが開発されたが、このセンサースイッチは、アパートやその他の屋内玄関またはバルコニー及び屋外の垣根に設置されるもので、玄関やバルコニーに出入りする人の接近を感知することで、一定距離だけ離れた位置に設置された電灯を自動的に点灯させたり、屋外の垣根を侵害する人の接近を感知することで、警備システムに信号を送る監視装置として使用されている。
【０００５】
上記のような従来のセンサースイッチは、図５に示すように、天井または壁面に設置されるハウジング１０と、前記ハウジング１０の一側に人体の接近を感知するように露出設置された感知センサー１２とを備えている。この感知センサー１２の信号を受ける制御部は、遠距離に設置された負荷駆動部を作動させ、電気装置（または電装品）を駆動させている。すなわち、前記電気装置が電灯である場合、電灯が点灯されるように構成される。
【０００６】
一方、上記のようなセンサースイッチがメーン電灯と連結されたセンサー灯が開示されている。すなわち、図６ａ及び図６ｂに示すように、センサー灯は、天井に設置されるハウジング１０と、このハウジング１０の中央に設置された灯カバー１１と、前記ハウジング１０の一側に人体の接近を感知するように露出設置された感知センサー１２と、前記ハウジング１０の内部に感知センサー１２によって検出された信号を増幅させる増幅部１３と、前記ハウジング１０と灯カバー１１の内部に設置されたメーン電灯１４と、前記増幅部１３の信号を比較して点灯信号を出力する比較部１５と、前記メーン電灯１４の点灯時間を決定する点灯時間設定部１６と、前記メーン電灯１４を駆動させるランプ駆動部１７とを含んで構成される。
【０００７】
上記のようなセンサースイッチとメーン電灯が連結されたセンサー灯は、前記感知センサー１２が人体の接近を感知すると、これを増幅部１３で増幅させ、前記比較部１５で前記メーン電灯１４を点灯させる信号を送るようになり、前記点灯時間設定部１６とランプ駆動部１７によって一定時間の間メーン電灯１４が点灯されてから消灯される構成となっている。このような動作は、前記感知センサー１２のスイッチングによって反復的に行われる。
【０００８】
しかしながら、上記のようなセンサースイッチやセンサー灯に装着された前記感知センサー１２によって人体が感知されるときに点灯されるので、人体が感知される前には非常に暗い状態が続き、使用者の不安感を誘発するとともに、遠距離に設置された灯機構が点灯される前には周囲を見分けにくいという不便さがある。
【発明の開示】
【発明が解決しようとする課題】
【０００９】
本発明は、上記のような従来の問題点を解決するためになされたもので、その目的は、天井または壁面に設置されるハウジングに、物体の移動時に識別可能な程度の最小限の照度で点灯される微灯を設置することで、暗さによって発生する不安感を解消するとともに、感知センサーによってスイッチング動作する外部装置の動作前に発生する不便さを解消することができる熱線センサーを用いたセンサースイッチを提供することにある。
【００１０】
また、本発明の目的は、ハウジングに設置された照度センサーによって感知された照度が一定の照度以下であると点灯されるように、照度センサーと連結された制御部によって点灯及び消灯が制御される微灯を構成することで、不必要な微灯の点灯による電力消耗を防止することができる熱線センサーを用いたセンサースイッチを提供することにある。
【００１１】
さらに、本発明の目的は、微灯が高輝度発光ダイオードであり、制御部によって作動する微灯駆動部によって点灯される構成となっており、最小限の電力供給によって最大限の照明を可能にする熱線センサーを用いたセンサースイッチを提供することにある。
【課題を解決するための手段】
【００１２】
本発明による熱線センサーを用いたセンサースイッチは、動く物体の熱線感知のための感知センサーの感知信号を受ける制御部からスイッチング動作する外部装置にスイッチング信号を出力するセンサースイッチにおいて、前記感知センサーが装着されるハウジングに前記制御部と連結されて装着される微灯を含んで構成されることを特徴とする。
【００１３】
このとき、前記微灯は、前記ハウジングに設置された照度センサーを通して感知された照度が予め設定された照度以下であると点灯されることを特徴とし、前記制御部によって制御され、少なくとも１個の高輝度発光ダイオードで構成されることが好ましい。
【００１４】
また、前記外部装置は、前記ハウジングに設置されて点灯または消灯されるメーン電灯であることが好ましい。
【００１５】
一方、前記微灯は、前記制御部によって作動する微灯駆動部によって点灯され、前記感知センサーは、熱線センサーであり、前記制御部に連結され、前記メーン電灯の点灯時間を選択する駆動時間設定部と、前記微灯の点灯を制御する照度調節スイッチとをさらに備えることを特徴とする。
【発明の効果】
【００１６】
本発明の熱線センサーを用いたセンサースイッチによると、天井または壁面に設置されるハウジングに、物体の移動時に識別可能な程度の最小限の照度で点灯される微灯を設置することで、暗さによって発生する不安感を解消するとともに、センサーのスイッチング作動によって駆動される外部装置が灯機構である場合、灯機構のメーン電灯がオンになるまでの不便さを解消することができる。
【００１７】
また、本発明の熱線センサーを用いたセンサースイッチによると、微灯は、ハウジングに設置された照度センサーによって感知された照度が一定の照度以下であると点灯されるように、照度センサーと連結された制御部によって点灯及び消灯が制御される構成となっており、不必要な微灯の点灯による電力消耗を防止することができる。
【００１８】
一方、前記微灯は、高輝度発光ダイオードであり、制御部によって作動する微灯駆動部によって点灯される構成となっており、最小限の電力供給によって最大限の照明が可能である。
【発明を実施するための最良の形態】
【００１９】
以下、本発明による熱線センサーを用いたセンサースイッチの実施例を添付された図面に基づいて詳細に説明する。
【００２０】
図１は、本発明の一実施例による熱線センサーを用いたセンサースイッチの斜視図で、図２は、本発明の一実施例による熱線センサーを用いたセンサースイッチの制御ブロック図で、図３は、本発明の他の実施例による熱線センサーを用いたセンサースイッチの斜視図で、図４は、本発明の他の実施例による熱線センサーを用いたセンサースイッチの制御ブロック図である。
【００２１】
図面の各構成要素に引用符号を付するとき、同一の構成要素には、他の図面に示される場合にも同一の符号を付するようにしており、本発明の要旨を不必要に不明確にし得ると判断される公知機能及び構成に対する詳細な説明は省略する。
【００２２】
本発明の一実施例による熱線センサーを用いたセンサースイッチにおいては、天井または壁面に設置されるハウジング２１０に熱線感知のための感知センサー２２０が連結設置され、この感知センサー２２０が物体を感知すると、感知センサー２２０の信号を受けた制御部２３０が作動して外部装置に信号を送る。そして、微灯２６０は、前記ハウジング２１０の所定位置に前記制御部２３０と連結構成され、物体の移動時に識別可能な程度の最小限の照度で点灯されるように設置される。
【００２３】
ここで、前記ハウジング２１０には照度センサー２７０が設置されており、この照度センサー２７０によって照度を感知し、制御部２３０に信号を送るようになる。
【００２４】
そして、前記制御部２３０は、本実施例の図２に示すように、前記感知センサー２２０と連結される感知判断部２３１と、前記照度センサー２７０と連結されて照度を判断する照度判断部２３２と、前記感知判断部２３１と照度判断部２３２の信号を受けて前記微灯２６０を点灯し、外部装置である負荷駆動部２４０を制御する制御判断部２３３とを備えているが、前記感知判断部２３１及び照度判断部２３２が制御部２３０と分離されるように構成されることもある。
【００２５】
前記制御部２３０の制御判断部２３３に連結された負荷駆動部２４０が駆動され、スイッチング信号を受けたときに動作する外部装置２５０が電灯である場合、必要時のみに点灯されるので、電力消耗を節減させることができる。
【００２６】
また、前記微灯２６０は、前記制御部２３０によって作動する微灯駆動部２８０によって点灯されることが好ましい。
【００２７】
一方、前記制御判断部２３３に連結されて前記ランプの点灯時間を選択する駆動時間設定部２９０と、前記制御判断部２３３に連結され、照度によって前記負荷駆動部２４０と微灯２６０の点灯を制御する照度調節スイッチ２９５とがさらに備わる。
【００２８】
ここで、前記負荷駆動部２４０と微灯駆動部２８０は、制御部２３０と分離された状態に表示されているが、前記制御部２３０と一体に構成することも可能である。
【００２９】
前記微灯２６０は、一定の照度以上を有するように一つ以上設置されるもので、本発明を説明する図１には３個設置されているが、それ以上設置することも可能である。
【００３０】
前記微灯２６０は、前記ハウジング２１０に設置された照度センサー２７０によって感知された照度が一定の照度以下であると点灯されるように、照度センサー２７０と連結された前記制御部２３０と照度調節スイッチ２９５によって点灯及び消灯が制御される。
【００３１】
また、前記微灯２６０は、１個または２個以上の高輝度発光ダイオードであり、最小限の少ない電力消耗で高い照度を得ることができる。もちろん、前記メーン電灯２５５も、多数の高輝度発光ダイオードを用いて構成することができる。
【００３２】
したがって、前記照度調節スイッチ２９５によって選択された照度以下であると、前記制御部２３０で判断して微灯２６０を点灯させるようになり、物体の移動を感知可能な状態となる。
【００３３】
前記制御部２３０に連結された負荷駆動部２４０によって外部装置２５０が駆動されないことから灯機構が点灯されない状態でも、前記微灯２６０が点灯されているので、移動する物体を感知することができ、恐怖感を解消するとともに、外部装置２５０が駆動される前の過度な暗さによる不便さを解消することができる。
【００３４】
また、前記駆動時間設定部２９０によって昼と夜または雲の多い日などを選択し、外部装置２５０が電灯である場合の駆動時間を調節することができ、前記照度調節スイッチ２９５は、一定の照度以下になると前記外部装置２５０と微灯２６０を点灯させるように選択することができる。もちろん、前記外部装置２５０は、照度のみで運営すると電力の消耗が多いので、前記感知センサー２２０と連動して点灯されるようにする。
【００３５】
また、前記微灯２６０は、常にオン状態にすることもでき、一定の照度以下のみで点灯されるようにすることもでき、前記外部装置２５０の駆動状態でも点灯されるように回路を調整することもできる。
【００３６】
したがって、本発明の熱線センサーを用いたセンサースイッチを既存のセンサースイッチの代わりに設置すると、外部装置の駆動前に微灯２６０が点灯されるので、暗さによって発生する不便さと恐怖感を解消することができる。
【００３７】
また、前記微灯２６０が設置される熱線センサーを用いたセンサースイッチが警備用である場合、微灯２６０の照明によって犯人が犯行をあきらめるようになるか、犯人の初期動作を確認することができ、犯罪予防にも役立つ。
【００３８】
一方、図３及び図４は、本発明の他の実施例による熱線センサーを用いたセンサースイッチを示した図で、本発明の一実施例による熱線センサーを用いたセンサースイッチにおいて、外部装置をメーン電灯として構成している。
【００３９】
本発明の他の実施例による熱線センサーを用いたセンサースイッチにおいては、天井に設置されるハウジング２１５に熱線感知のための感知センサー２２０が連結設置され、この感知センサー２２０が物体を感知すると、感知センサー２２０の信号を受けた制御部２３０によって前記ハウジング２１５に設置されたメーン電灯２５５が一定の照度以上に照明されることで、物体の識別が正確に行われるようにランプ駆動部２４５の動作によって点灯される。
【００４０】
このとき、前記ハウジング２１５の所定位置には、物体の移動時に識別可能な程度の最小限の照度で点灯される微灯２６０が設置される。
【００４１】
したがって、前記メーン電灯２５５がオン状態でない場合にも移動する物体を感知することができ、恐怖感を解消するとともに、前記メーン電灯２５５がオン状態になる前の過度な暗さによる不便さを最大限に解消することができる。
【００４２】
すなわち、前記微灯２６０は、一定の照度以上を有するように一つまたはそれ以上設置される。ここで、図中、未説明符号２１１は灯カバーである。また、最小限の照度は、センサー灯の設置位置、面積及び体積によって多様に調整されるもので、製品の形状によって少しずつ変更されうるが、物体、特に人の動きを確認可能な程度の照度をいう。
【００４３】
一方、前記照度センサー２７０で感知された照度が、前記照度調節スイッチ２９５によって選択された照度以下であると、前記制御部２３０でこれを比較判断し、微灯２６０を点灯させるようになり、物体の移動を感知可能な状態になる。また、前記微灯２６０は、高輝度発光ダイオードであり、最小限の少ない電力消耗で高い照度を得ることができる。もちろん、前記メーン電灯２５５も、高輝度発光ダイオードをセンサー灯に約５０個配列した状態で、微灯の役割をするように５個以下を回路構成し、メーン電灯の役割をするように残りの４５個を回路構成することで、高輝度発光ダイオードを用いたセンサー灯を構成することができる。
【００４４】
以上、図面に基づいて説明された本発明の一実施例は、本発明の技術的思想を限定するものと解析されてはならない。本発明の保護範囲は、特許請求の範囲に記載された事項のみによって制限されるもので、本発明の技術分野で通常の知識を有する者であれば、本発明の技術的思想を多様な形態に改良・変更することが可能である。したがって、このような改良及び変更は、通常の知識を有する者にとって自明である限り、本発明の保護範囲に属するものである。
【図面の簡単な説明】
【００４５】
【図１】本発明の一実施例による熱線センサーを用いたセンサースイッチの斜視図である。
【図２】本発明の一実施例による熱線センサーを用いたセンサースイッチの制御ブロック図である。
【図３】本発明の他の実施例による熱線センサーを用いたセンサースイッチの斜視図である。
【図４】本発明の他の実施例による熱線センサーを用いたセンサースイッチの制御ブロック図である。
【図５】従来のセンサースイッチの一実施例を示した斜視図である。
【図６ａ】従来のセンサー灯の一実施例を示した斜視図である。
【図６ｂ】従来のセンサー灯の概略的な制御ブロック図である。
【符号の説明】
【００４６】
２１０，２１５  ハウジング
２２０  感知センサー
２３０  制御部
２３１  感知判断部
２３２  照度判断部
２３３  制御判断部
２４０  負荷駆動部
２４５  ランプ駆動部
２５０  外部装置
２５５  メーン電灯
２６０  微灯
２７０  照度センサー
２８０  微灯駆動部
２９０  駆動時間設定部
２９５  照度調節スイッチ
【図１】
2009224312.tif 000003
【図２】
2009224312.tif 000004
【図３】
2009224312.tif 000005
【図４】
2009224312.tif 000006
【図５】
2009224312.tif 000007
【図６ａ】
2009224312.tif 000008
【図６ｂ】
2009224312.tif 000009